(57)【要約】【課題】椅子の使用寿命を長持ちさせるプレローディング装置を有する椅子を提供する。【解決手段】プレローディング装置２０は、固定座２１、プレローディングユニット、および接続座２３を有する。固定座２１は背当て部１１の装着面１１１に装着され、かつ装着空間を有する。プレローディングユニットは、固定座２１の装着空間に装着され、かつ制御座、環状弾性体および多段式定方向突出部を有する。接続座２３は、多段式定方向陥没溝、および、支持部１２に差し込まれる装着部を有する。多段式定方向陥没溝と多段式定方向突出部とが互いに対応して嵌合し、捩じれて生じた弾力を環状弾性体に蓄積し、かつプレローディング固定ユニットによってプレローディング固定状態を維持することが可能である。【選択図】  図１
0003161918.tif 000002
【実用新案登録請求の範囲】
【請求項１】
装着面を有する背当て部と、座部と、支持部と、弾性回復力を生じさせるプレローディング装置とを備える椅子であって、
前記プレローディング装置は、
前記背当て部の前記装着面に装着され、かつ装着空間を有する固定座と、
前記固定座の前記装着空間に装着され、かつ制御座、環状弾性体および多段式定方向突出部を有するプレローディングユニットと、
多段式定方向陥没溝、および、前記支持部に差し込まれる装着部を有する接続座と、
プレローディング固定ユニットと、を有し、
前記多段式定方向陥没溝と前記多段式定方向突出部とが互いに対応して嵌合し、捩じれて生じた弾力を前記環状弾性体に蓄積し、かつ前記プレローディング固定ユニットによってプレローディング固定状態を維持することを特徴とする椅子。
【請求項２】
前記プレローディング固定ユニットは、前記制御座に配置される突状固定部および前記接続座に配置される嵌合溝を有し、前記嵌合溝は幅が前記突状固定部の幅より大きく、かつ角度差を呈するため、前記突状固定部を前記嵌合溝内に嵌め込むと、仰向いて傾く空間が形成されることを特徴とする請求項１に記載の椅子。
【請求項３】
前記多段式定方向突出部および前記多段式定方向陥没溝は、十字形および多辺形のうちの一つを呈することを特徴とする請求項１に記載の椅子。
【請求項４】
前記背当て部は、背もたれであることを特徴とする請求項１に記載の椅子。
【考案の詳細な説明】
【技術分野】
【０００１】
本考案は、椅子に関し、詳しくはプレローディング装置を有することによって使用寿命を延ばすことを可能にする斬新な設計に関するものである。
【背景技術】
【０００２】
従来の椅子は種類が様々で数え切れないほど多い。その機能設計は人体工学に基づき、快適性を向上させる目的を達成することである。一般的な椅子は、シートと背もたれとが結合して固定されるため、背もたれを動かすことができない固定式椅子となる。従って、使用者が椅子に座る際、姿勢は一定されるため、長時間にわたって座る際、姿勢を様々に変えることができないという問題が発生する。このような問題に対し、弾力部材を有する椅子が椅子関連業者によって開発された。弾力部材を有する椅子は、シートと背もたれを装着する部位に弾力部材を有し、弾力部材のねじれによって背もたれを傾け、跳ね返し、座り心地を良くすることが可能である。
【考案の概要】
【考案が解決しようとする課題】
【０００３】
しかしながら、上述した弾力部材を有する椅子は設計に改善の余地がある。特に弾力部材を有する椅子の重要な問題点は弾力部材の設計にある。かつ従来の構造設計は弾性疲労現象を抑制することができないため、椅子の寿命を短縮するという欠点を有する。従って、いかに消費者に有利な方面から改善をはかるかということは、椅子関連業者において絶えず突きつめて考えなければならない重要な技術課題および目標である
【０００４】
それに対し、本考案者は、長い年月椅子関連製品の製造開発および設計に携わった経験によって独自の設計を加え、テストを行った結果、実用性が確実に高い本考案を完成させた。
【０００５】
本考案の主な目的は、椅子の使用寿命を長持ちさせるプレローディング装置を有する椅子を提供することである。
【課題を解決するための手段】
【０００６】
本考案による椅子は、装着面を有する背当て部、支持部、座部、およびプレローディング装置を有し、プレローディング装置によって弾性回復力を生じる。課題を解決する技術特徴は、次のとおりである。プレローディング装置は、固定座、プレローディングユニット、および接続座を有する。固定座は背当て部の装着面に装着され、かつ装着空間を有する。プレローディングユニットは、固定座の装着空間に装着され、かつ制御座、環状弾性体および多段式定方向突出部を有する。接続座は、多段式定方向陥没溝、および、支持部に差し込まれる装着部を有する。多段式定方向陥没溝と多段式定方向突出部とが互いに対応して嵌合し、捩じれて生じた弾力を環状弾性体に蓄積し、かつプレローディング固定ユニットによってプレローディング固定状態を維持することが可能である。
先行技術に対し、本考案は斬新な設計により、椅子の弾性回復力および構造強度を確実に強化し、耐用性を向上させ、使用寿命を延ばすことが可能である。
【図面の簡単な説明】
【０００７】
【図１】本考案の一実施形態の椅子を示す斜視図である。
【図２】本考案の一実施形態のプレローディング装置を示す分解斜視図である。
【図３】本考案の一実施形態のプレローディング装置が組み立てる前の状態を示す平面図である。
【図４】本考案の一実施形態のプレローディング装置が組み立てる前の状態を示す断面図である。
【図５】本考案の一実施形態のプレローディング装置が組み立てられた状態を示す平面図である。
【図６】本考案の一実施形態のプレローディング装置が二段式で組み立てられた状態を示す断面図である。
【図７】本考案の一実施形態のプレローディング装置の作動状態を示す模式図である。
【考案を実施するための形態】
【０００８】
以下、本考案による椅子を図面に基づいて説明する。
（一実施形態）
図１から図４は、本考案の一実施形態による椅子１０を示す。
【０００９】
椅子１０は、装着面１１１を有する背当て部１１、支持部１２、座部１３、およびプレローディング装置２０を有する。プレローディング装置２０は椅子１０に弾性回復力を供給する。プレローディング装置２０は、固定座２１、プレローディングユニット２２、接続座２３、および、プレローディング固定ユニット３０を有する。
【００１０】
固定座２１は、背当て部１１の装着面１１１に装着され、かつ装着空間２１０を有する。
【００１１】
プレローディングユニット２２は、固定座２１の装着空間２１０に装着され、かつ制御座２２１、環状弾性体２２２および多段式定方向突出部２２３を有する。
【００１２】
接続座２３は、多段式定方向陥没溝２３３を有し、かつ多段式定方向陥没溝２３３と多段式定方向突出部２２３とが互いに対応して嵌合されることによって捩じれて蓄積された弾力を環状弾性体２２２に供給し、かつプレローディング固定ユニット３０によってプレローディング固定状態を維持することが可能である。接続座２３は、椅子１０の支持部１２に差し込まれる装着部２３４を有する。
【００１３】
プレローディング固定ユニット３０は、制御座２２１に配置される突状固定部３１および接続座２３に配置される嵌合溝３２を有する。嵌合溝３２は幅が突状固定部３１の幅より大きく、かつ角度差を呈するため、図７に示すように、突状固定部３２を一定の角度で強制的に捩じって接続座２３上の嵌合溝３２内に嵌め込み、仰向いて傾く空間を形成することが可能である。使用者は仰向いて傾く空間に柔軟なスイング運動を行うことによってやや傾いて座ったり、跳ね返ったりする効果を有し、人体工学に相応しい湾曲度を形成し、比較的よい快適性を達成することが可能である。
【００１４】
背当て部１１は、椅子１０の背もたれである。本実施形態では椅子１０の背もたれに適用されることで背もたれに弾性回復力を供給する。
【００１５】
多段式定方向突出部２２３および多段式定方向陥没溝２３３は、十字形および多辺形のうちの一つを呈する。
【００１６】
上述した構造および構築設計による本実施形態の作動状態は次の通りである。
図３および図４に示すように、まずプレローディングユニット２２の制御座２２１を固定座２１の装着空間２１０内に嵌め込む。この時、多段式定方向突出部２２３は制御座２２１の一側に突出する。図６ａに示すように、続いて接続座２３の多段式定方向陥没溝２３３と多段式定方向突出部２２３とを嵌め合わせることによって多段式定方向突出部２２３の一部分を接続座２３の外部に突出させる。この時、突状固定部３１および嵌合溝３２は角度差を呈する。続いて接続座２３を一定の角度まで反時計回りに回転させ、多段式定方向陥没溝２３３を介して多段式定方向突出部２２３を反時計回りに回転させることによって環状弾性体２２２を反時計回りに回転させ、プレローディング状態を呈する。この時、突状固定部３１と嵌合溝３２とが向かい合うため、突状固定部３１を嵌合溝３２内に嵌め込み、環状弾性体２２２を反時計回りに回転させ、プレローディング作用を生じることによって制御座２２１上の突状固定部３１を嵌合溝３２の一端に当接させ（図７から見ると突状固定部３１が嵌合溝３２の左側に当接する）、図６ｂに示すように多段式定方向陥没溝２３３と多段式定方向突出部２２３とを完全に嵌め合わせ、図５に示すようにプレローディング固定状態を維持することが可能である。最後に装着部２３４を椅子１０の支持部１２に差し込むと弾力のある組み合わせが完成する。
【００１７】
本実施形態におけるプレローディング装置２０は、椅子の背もたれに装着される。具体的に実施する際、使用者がシートに座って背もたれを後に傾けると、プレローディング固定ユニット３０の突状固定部３１は傾いた角度によって時計回りに回転し、環状弾性体２２２を回転させることによって弾性回復力を蓄積する。かつ仰向いて傾く空間内に背もたれをスイング運動させることによって、背もたれを傾ける効果を達成することが可能である。使用者の背中が背もたれから離れると、突状固定部３１は環状弾性体２２２の弾性回復力によって背もたれを復元させる。従って、使用者は椅子に座る時、仰向いて傾いたり、弾力のあるスイング運動をしたりすることが可能である。嵌合溝３２は幅が突状固定部３１の幅より大きいように設計されため、図７に示すように、嵌合溝３２の大きさによって仰向いて傾く背もたれの角度に制限作用を果たすことが可能である。
【００１８】
本実施形態が達成した効果は次のとおりである。
従来技術に対し、本実施形態による椅子は、上述した通り、椅子とプレローディング装置とを結合させる斬新な設計を採用し、かつ固定座が椅子の背当て部の装着面に装着され、プレローディングユニットが固定座に装着されるため、椅子に弾性回復力を持たせることが可能である。プレローディングユニットの多段式定方向突出部と接続座の多段式定方向陥没溝とは互いに対応して嵌合されるため、プレローディングユニットの環状弾性体は捩じれて蓄積された弾力を獲得することが可能である。上述した設計により、本実施形態は椅子の弾性回復力および構造強度を確実に強化し、耐用性を向上させ、使用寿命を延ばすことが可能となる。
【００１９】
以上、本考案は、上記実施形態になんら限定されるものではなく、考案の趣旨を逸脱しない範囲において種々の形態で実施可能である。
【符号の説明】
【００２０】
１０  ・・・椅子、  
１１  ・・・背当て部、  
１１１・・・装着面、  
１２  ・・・支持部、  
１３  ・・・座部、
２０  ・・・プレローディング装置、  
２１  ・・・固定座、  
２１０・・・装着空間、  
２２  ・・・プレローディングユニット、  
２２１・・・制御座、  
２２２・・・環状弾性体、  
２２３・・・多段式定方向突出部、  
２３  ・・・接続座、  
２３３・・・多段式定方向陥没溝、  
２３４・・・装着部、  
３０  ・・・プレローディング固定ユニット、  
３１  ・・・突状固定部、  
３２  ・・・嵌合溝。
【図１】
0003161918.tif 000003
【図２】
0003161918.tif 000004
【図３】
0003161918.tif 000005
【図４】
0003161918.tif 000006
【図５】
0003161918.tif 000007
【図６】
0003161918.tif 000008
【図７】
0003161918.tif 000009